(57)【特許請求の範囲】
【請求項１】
用紙の裏面に粘着剤が塗布され、前記用紙の一部分として該用紙を折り畳んで葉書を作成するための葉書用紙片が設けられ、更に、前記用紙の裏面の粘着剤に剥離可能に剥離紙が貼付された葉書用紙付き印刷物であって、
前記葉書用紙片には、２つの平行する折り畳み予定線を介して、記入用片と、宛名表示片と、記入事項隠蔽用片とが横方向に連接して設けられ、前記記入事項隠蔽用片の裏面に繰り返し貼り付けと剥離とを行うことができる再剥離再貼付可能な粘着剤が塗布されていることを特徴とする葉書用紙付き印刷物。
【請求項２】
前記用紙が、表面に広告情報が印刷された広告用の印刷物であることを特徴とする請求項１記載の葉書用紙付き印刷物。
【請求項３】
前記記入用片が、前記広告情報に関する申し込みに際して、申込者の個人情報を記入するための個人情報記入欄を有することを特徴とする請求項１記載の葉書用紙付き印刷物。
【発明の詳細な説明】
【技術分野】
【０００１】
本発明は、用紙の一部分に該用紙を切り取り、折り畳んで葉書を作成するための葉書用紙片が設けられ、更に、前記用紙の裏面の粘着剤に剥離可能に剥離紙が貼付されている葉書用紙付き印刷物に関する。
【背景技術】
【０００２】
従来、パンフレット、新聞折り込みチラシなどの広告用印刷物には、その用紙の一部分に消費者がその広告に関する資料請求などを行う際に使用するための申込み用の葉書用紙が設けられている印刷物が用いられている。
そして、このような葉書においても、葉書の利用者が記入する個人情報が盗み見られて悪用されることを防止するために、それらの記入事項を第三者が不正に盗み見できない状態に隠蔽させるためのシールを、その印刷物に予め用意しておくようにした広告印刷物も既に開発され特許出願もされている。（例えば、特許文献１参照）
【０００３】
【特許文献１】特開２００４−１３３０６５号公報
【０００４】
しかしながら、従来公知の上記広告印刷物においては、シールを剥離した後に、個人情報が記入されている部分上に合わせて貼付させる必要があるために、目的の個人情報記入領域上に正確に貼ることが難しく、貼付する際に貼付位置の貼り違えを生じることも考えられる。
特に子供や老人などにとっては、シールをどの位置に貼付したらよいのか迷ったり、また個人情報が記入されている領域部分である目的の位置に、用意されたシールを正確に貼付できにくく利用者に取って不便な点があるという問題もある。
【発明の開示】
【発明が解決しようとする課題】
【０００５】
そこで、本発明は、一部に葉書用紙を有する印刷物であって、利用者が子供や老人などであっても、葉書の個人情報が記入された領域部分上に、だれでもが正確にシール等の隠蔽用紙を貼付することができ、葉書に記入された個人情報が盗み見られて悪用されたり、個人情報の漏洩などを防止することができ、またパンフレットや新聞折り込みチラシなどの広告用印刷物として活用することができ、更に利用者が迷うことなく必要な情報を記入することができる葉書用紙付き印刷物を提供する。
【課題を解決するための手段】
【０００６】
本発明の葉書用紙付き印刷物は、用紙の裏面に粘着剤が塗布され、前記用紙の一部分として該用紙を折り畳んで葉書を作成するための葉書用紙片が設けられ、更に、前記用紙の裏面の粘着剤に剥離可能に剥離紙が貼付された葉書用紙付き印刷物であって、前記葉書用紙片には、２つの平行する折り畳み予定線を介して、記入用片と、宛名表示片と、記入事項隠蔽用片とが横方向に連接して設けられ、前記記入事項隠蔽用片の裏面に繰り返し貼り付けと剥離とを行うことができる再剥離再貼付可能な粘着剤が塗布されていることを特徴とする。
【０００７】
また、本発明の葉書用紙付き印刷物は、前記用紙が、表面に広告情報が印刷された広告用の印刷物であることを特徴とする。
【０００８】
更に、本発明の葉書用紙付き印刷物は、前記記入用片が、前記広告情報に関する申し込みに際して、申込者の個人情報を記入するための個人情報記入欄を有することを特徴とする。
【発明の効果】
【０００９】
本発明の葉書用紙付き印刷物は、葉書用紙片として、２つの平行する折り畳み予定線を介して横方向に、記入用片と、宛名表示片と、記入事項隠蔽用片とが連接して設けられているので、これらを折り畳み予定線から折り畳み接着させることで、葉書に記入された個人情報の領域部分上に、だれでもが正確に隠蔽用紙を貼付することができ、葉書に記入された個人情報が盗み見られて悪用されたり、個人情報の漏洩などを防止することができるという効果がある。
【００１０】
また、本発明の葉書用紙付き印刷物は、用紙が表面に広告情報が印刷された広告用の印刷物であるので、パンフレットや新聞折り込みチラシなどの広告用印刷物として活用することができるという効果がある。
【００１１】
更に、本発明の葉書用紙付き印刷物は、記入用片が、広告情報に関する申し込みに際して申込者の個人情報を記入するための個人情報記入欄を有するので、利用者が迷うことなく必要な情報を記入することができるという効果がある。
【発明を実施するための最良の形態】
【００１２】
以下、本発明の実施形態に係る葉書用紙付き印刷物について、図面に基づいて詳細に説明する。
図１は、本発明の実施形態に係る葉書用紙付き印刷物の表面側から見た状態を示す斜視図、図２は、図１のＡ−Ａ線断面図、図３は、本発明の実施形態に係る葉書用紙付き印刷物で、葉書用紙片を剥離紙から剥離させた状態を示す斜視図、図４は、本発明の実施形態に係る葉書用紙付き印刷物で、葉書用紙片を剥離紙から剥離させた状態を示す断面図、図５は、本発明の実施形態に係る葉書用紙付き印刷物の葉書用紙片で、葉書を作成した状態を示す断面図、図６は、本発明の実施形態に係る葉書用紙付き印刷物の葉書用紙片で、葉書を作成した状態を示す斜視図、図７は、本発明の実施形態に係る葉書用紙付き印刷物の葉書用紙片で作成した葉書から、記入事項隠蔽用片を剥離させて記入用片に記入された記入事項を見られる状態とした斜視図である。
【００１３】
本発明の実施形態に係る葉書用紙付き印刷物１は、裏面に粘着剤４が塗布された用紙２と、用紙２の裏面に重ね合わされ、用紙２の裏面に塗布された粘着剤４に対して剥離可能に貼付されている剥離紙３とを有している。
用紙２の表面には、所望の広告情報などが印刷されている。
また、用紙２の一部分には、その用紙部分を３つに折り畳んで葉書を作成するための葉書用紙片６が設けられている。
葉書用紙片６の外周部分には、スリット９が形成されていて、用紙２からスリット９で切り込まれ区分けされた葉書用紙片６の部分だけを指で摘んで剥離させて剥離紙３から抜き取れるようにしてある。
【００１４】
葉書用紙片６は、２つの縦方向に平行する折り畳み予定線７，８が表示され、この折り畳み予定線７，８を介して、記入用片６ａと、宛名表示片６ｂと、記入事項隠蔽用片６ｃとが横方向に連接されて設けられている。
これらの横方向に連接された記入用片６ａと、宛名表示片６ｂと、記入事項隠蔽用片６ｃとは、いずれの３片も略同じ大きさを有する用紙片からなり、それぞれの用紙片を折り畳み予定線７，８から折り畳んで３つに重ね合わせた場合に郵便葉書の大きさとなるように構成されている。
また、各々の折り畳み予定線７，８には、それぞれ折り畳みをしやすいようにミシン加工を施すことが好ましい。
【００１５】
そして、記入用片６ａの表面には、用紙２の表面に印刷された広告に関して資料請求などを行うための申込情報記入欄１０が表示され、この記入用片６ａが申込書ともなっている。
申込情報記入欄１０には、申込者の氏名や住所などの個人情報を記入するための個人情報記入欄１０ａも設けられている。
また、宛名表示片６ｂの表面には、予め葉書の受取人の宛先情報が印刷されており、葉書の送り主側で宛先を記入しないでも、そのまま郵便ポストに投函できるようにしてある。
【００１６】
用紙２の裏面に塗布されている粘着剤４のうち、記入事項隠蔽用片６ｃの裏面に塗布されている粘着剤だけは、繰り返して貼り付けと剥離とを行うことができる再剥離再貼付可能な粘着剤４ａが塗布されている。
記入事項隠蔽用片６ｃの裏面には、再剥離再貼付可能な粘着剤４ａが塗布されていることで、葉書用紙片６を３つに折り畳んで葉書を作成した場合に、記入用片６ａの上部に記入事項隠蔽用片６ｃを重ねて接着状態として郵送でき、更に受取人が記入用片６ａの上から記入事項隠蔽用片６ｃを剥離して、記入用片６ａの申込情報記入欄１０に記入されている個人情報を含む記入事項１１を見ることができるように構成されている。
【００１７】
記入事項隠蔽用片６ｃの裏面に塗布されている再剥離再貼付可能な粘着剤４ａは、繰り返して貼り付けと剥離とを行うことができる公知の粘着剤を使用することができる。
例えば、再剥離再貼付可能な粘着剤４ａとしては、密着面の密着及び再剥離を容易にするように調整されており、以下に説明する粘着主剤、粘着力調整剤、添加物等が以下の割合で混合されている。
粘着主剤              １００重量部
粘着力調整剤
針状物質の場合        １０〜１００（好ましくは１０〜５０）重量部
微粒状物質の場合      ０〜５０（好ましくは５〜３０）重量部
上記両物質混合の場合  １０〜１００重量部
添加物
ワックス              ０．０１〜２０重量部
紫外線吸収剤          微量
消泡剤                微量
消泡助剤              微量
エマルジョン化成分
水                    １００〜５００（好ましくは２００〜３００）重量部
乳化剤                ０．５〜２重量部
樹脂                  １〜５０重量部
【００１８】
上記の粘着主剤は、天然ゴム（ＮＲ）、エステル化天然ゴム、スチレンブタジエンゴム（ＳＢＲ）、クロロプレンゴム、ポリ酢酸ビニル、ポリメチルメタクリレート（ＰＭＭＡ）等が挙げられ、または、これらの混合物が挙げられる。
これらの粘着主剤の混合にあたっては、その混合割合を適宜調整することによって、感圧粘着剤同士の自着性を保持しつつ、基材との密着性を自着性より大きくすることができる。
【００１９】
好ましくは、加圧によって粘着剤同士の自着性を発現する性質の高い天然ゴムに、基材との密着性、即ちアンカー効果を高める目的でポリメチルメタクリレートやスチレンブタジエンゴムを添加したものが挙げられる。
ポリメチルメタクリレートは単独で用いるより、他の粘着主剤と混合して用いるとよい。
このような粘着主剤は、通常粒径０．１μｍ〜３μｍ程度の微粒状のものが使用される。
【００２０】
粘着力調整剤は、粘着主剤の粘着力を調整するために混合され、針状物質若しくは微粒状物質又はこれらの混合物が用いられる。
また、針状物質としては、無機物質、有機物質のいずれでもよく、その形状が略針状であればよく、偏平状、螺旋状、鱗片状等の様々な形態を持つものから任意に選択されるが、針状物質が特に好適である。
針状物質として、平均長さは１０μｍ〜２０μｍ、また平均径としては０．２μｍ〜０．５μｍ程度のものが好ましい。
針状物質は、感圧粘着剤をエマルジョンとし、塗布剤とした時の沈降性を低くするために見掛け比重が０．０５〜０．６のものが好ましい。
【００２１】
微粒状物質は、マイクロシリカ、合成ゼオライト、活性アルミナゲル、炭酸カルシウム、酸化亜鉛、酸化チタン、タルク、クレー、カオリン、活性白土、アクリルビーズ、澱粉、セルロース、シラスバルーン等が挙げられ、その粒径は、１０ｍμｍ〜３０μｍ、好ましくは０．５μｍ〜１０μｍの範囲にあるものが好適である。
また、針状物質と共に添加することにより、微粒状物質の添加量を少なくすることができると共に微粒状物質の粉落ちを防止することができる。
【００２２】
添加物として、ハンドリング性、ＮＩＰの搬送性能等の滑り性向上又は耐ブロッキング性向上のために、ポリエチレンワックス、カルナウバワックス等のワックス類、劣化防止のために、アンモニア、エタノールアミン等の紫外線吸収剤などを添加してもよい。
また、消泡剤として、非イオン系界面活性剤、アニオン系界面活性剤（鉱物油系）を添加したり、さらに、消泡助剤として、シリカ等を添加してもよい。
【００２３】
前述した粘着主剤、粘着力調整剤、添加物は、水等の媒体に分散してエマルジョン状態で基材に塗布される。
エマルジョン化の際には、必要に応じて乳化剤が添加される。乳化剤としては、オレイン酸石鹸、ひまし油カリウム石鹸、カゼイン、にかわ、ゼラチン等を使用できる。
また、エマルジョン化したとき、粘着主剤の２次凝集防止のために、粘着主剤と親和性を有しない樹脂を添加することができる。
この樹脂としては、水分散性高分子ポリエステル、熱可塑性エラストマー、また、低密度ポリエチレン等の低分子ポリエチレン、アイオノマー、酢酸ビニル−オレフィン共重合体等が好適に使用できる。
【００２４】
また、剥離紙３としては、紙等の基材層にポリエチレン、ポリプロピレン等の離型性のある樹脂をコーティングするか、ないしは紙等にシリコン含有インキを印刷した弱離型性の離型紙が使用される。
また、粘着剤４に貼付されている剥離紙３には、その粘着剤４から簡単に剥離できるように剥離紙３の上面に剥離剤層５を設けるようにしてもよい。
【００２５】
次に、本発明の実施形態に係る葉書用紙付き印刷物１の使用方法を、図３及び図７に基づいて説明する。
ここでは、葉書用紙付き印刷物１を、一例として新聞の折込チラシとして用いる場合について説明する。
まず、広告情報が印刷された葉書用紙付き印刷物１を新聞の折込チラシとして、新聞と共に消費者に配布する。
そして、消費者が、広告に関する資料請求を行う場合には、記入用片６ａの申込情報記入欄１０に必要事項を記入した後に、図３及び図４に示すように、葉書用紙片６を剥離紙３から剥離させて抜き取る。
【００２６】
次に、図５及び図６に示すように、最初に折り畳み予定線７を山折りさせて、宛名表示片６ｂの裏側に記入用片６ａを折り畳んで、粘着剤４同士により宛名表示片６ｂと記入用片６ａとを接着状態にする。
その後、折り畳み予定線８を山折りさせて、記入用片６ａの裏側に記入事項隠蔽用片６ｃを折り畳んで、再剥離再貼付可能な粘着剤４ａにより記入用片６ａと記入事項隠蔽用片６ｃとを剥離可能に接着状態とする。
上記の処理により、葉書用紙片６から葉書を作成した後に、ポストに投函して郵送する。
【００２７】
そして、葉書用紙片６で作成された葉書の受取人は、図７に示すように、記入用片６ａの申込情報記入欄１０に記入されている内容を見るために、宛名表示片６ｂの裏側に貼付されている記入事項隠蔽用片６ｃを摘んで、引っ張ることで、記入事項隠蔽用片６ｃが宛名表示片６ｂの裏側から剥離させて、申込情報記入欄１０に記入されている記入事項１１の内容を確認することができる。
【００２８】
上記のように、本発明の実施形態に係る葉書用紙付き印刷物は、利用者が用紙の一部に設けられた葉書用紙片を用いて、資料請求などの申込みを行う場合でも、記入された個人情報を第三者が見られない状態で隠蔽させて郵送させることができるように構成されている。
【図面の簡単な説明】
【００２９】
【図１】本発明の実施形態に係る葉書用紙付き印刷物の表面側から見た状態を示す斜視図である。
【図２】図１のＡ−Ａ線断面図である。
【図３】本発明の実施形態に係る葉書用紙付き印刷物で、葉書用紙片を剥離紙から剥離させた状態を示す斜視図である。
【図４】本発明の実施形態に係る葉書用紙付き印刷物で、葉書用紙片を剥離紙から剥離させた状態を示す断面図である。
【図５】本発明の実施形態に係る葉書用紙付き印刷物の葉書用紙片で、葉書を作成した状態を示す断面図である。
【図６】本発明の実施形態に係る葉書用紙付き印刷物の葉書用紙片で、葉書を作成した状態を示す斜視図である。
【図７】本発明の実施形態に係る葉書用紙付き印刷物の葉書用紙片で作成した葉書から、記入事項隠蔽用片を剥離させて記入用片に記入された記入事項を見られる状態とした斜視図である。
【符号の説明】
【００３０】
１  葉書用紙付き印刷物
２  用紙
３  剥離紙
４  粘着剤
４ａ  再剥離再貼付可能な粘着剤
５  剥離剤層
６  葉書用紙片
６ａ  記入用片
６ｂ  宛名表示片
６ｃ  記入事項隠蔽用片
７，８  折り畳み予定線
９  スリット
１０  申込情報記入欄
１１  記入事項
【図１】
0004835242.tif 000002
【図２】
0004835242.tif 000003
【図３】
0004835242.tif 000004
【図４】
0004835242.tif 000005
【図５】
0004835242.tif 000006
【図６】
0004835242.tif 000007
【図７】
0004835242.tif 000008